(57)【要約】【課題】河川水または地熱水等に含まれている硫酸イオンや塩素イオンの分離除去を短時間で効率的に、且つ低コストで行えるようにする。【解決手段】被処理水を連続環流的に超電導マグネットの高磁場内に圧送導入し、高磁力によって被処理水に含まれる硫酸イオンおよび塩素イオンを分離可能とした物質分離装置４を備える。また、超電導マグネットによって分離された硫酸イオンおよび塩素イオンを、磁界周囲に配したメッシュ状，スパイラル状，筒状のいずれかに形成した金属不織布製の交換可能な吸着フィルタによって捕獲し除去する。さらに、硫酸イオンおよび塩素イオンの磁化率の差に応じて超電導マグネットの磁場強度の設定を変える。【選択図】  図１
2007098297.tif 000002
【特許請求の範囲】
【請求項１】
被処理水を連続環流的に超電導マグネットの高磁場内に圧送導入し、高磁力によって被処理水に含まれる硫酸イオンおよび塩素イオンを分離させる物質分離装置を備えたことを特徴とする飲料水用浄水システム。
【請求項２】
物質分離装置には、超電導マグネットによって分離された硫酸イオンおよび塩素イオンを捕獲し除去させるよう、磁界周囲に配したメッシュ状，スパイラル状，筒状のいずれかに形成された金属不織布製の交換可能な吸着フィルタを備えた請求項１記載の飲料水用浄水システム。
【請求項３】
硫酸イオンおよび塩素イオンの磁化率の差に応じて超電導マグネットの磁場強度の設定を変えるものとした請求項１または２記載の飲料水用浄水システム。
【請求項４】
硫酸イオンおよび塩素イオンの磁化率の差に応じて磁場強度設定の異なる複数の超電導マグネットに被処理水を導入させるものとした請求項１または２記載の飲料水用浄水システム。
【請求項５】
被処理水に、四三酸化鉄，水酸化鉄，フェライト，マンガン，αヘマタイト，ドラバイト，トルマリンのいずれかによる強磁性シーデイング剤を添加して当該被処理水の中の常磁性体，非磁性体，反磁性体等の性質を有する有害物質を磁気分離させる請求項１乃至４のいずれか記載の飲料水用浄水システム。
【発明の詳細な説明】
【技術分野】
【０００１】
本発明は、廃水が放流された河川水、または地中から噴出された地熱水等に含まれている有害物質を分離除去して浄化された天然水として利用することを可能にした飲料水用浄水システムに関する。
【背景技術】
【０００２】
一般に硫酸イオンや塩素イオンの除去のために石灰が用いられている（特許文献１，２，３）。
近年、河川水に含まれている毒性のある硫黄の濃度測定が行なわれた結果として、例えば、年間平均流量０．６５cm3／秒の湯川では、硫酸イオン量が年間平均６１０ｍｇ／litre、塩素イオン量が年間平均２９８ｍｇ／litreとなっている。また、年間平均流量０．２４cm3／秒の谷沢川では、硫酸イオン量が年間平均２７５ｍｇ／litre、塩素イオン量が年間平均５１ｍｇ／litreとなっている。さらに、年間平均流量０．４２cm3／秒の大沢川では、硫酸イオン量が年間平均４１７ｍｇ／litre、塩素イオン量が年間平均２５７ｍｇ／litreとなっている。
【特許文献１】特開平５−２２０３３４号公報
【特許文献２】特開平９−１１７７７２号公報
【特許文献３】特開２００１−２９３４８３号公報
【０００３】
上記したような河川水等に含まれている強酸である硫酸イオンや塩素イオンを除去分離するために、従来ではアルカリ性の石灰を河川中に投入してこれらを中和する方式が採られていた。このとき、１日当たりの石灰投入量は、例えば、湯川では５４．２トン、谷沢川では４．７トン、大沢川では、１０．８トンである。
【発明の開示】
【発明が解決しようとする課題】
【０００４】
しかしながら、従来の方式のように河川を石灰によって中和する方式では、上記のように大量の石灰が必要となり、このため、石灰投入経費が日額にして約１００万円（月額で約３０００万円）となり、委託業務費や電気料等を差し引いてもかなり高額なものとなってしまう。しかも人件費も約６２００万円と高く付いてしまう。
【０００５】
そこで、本発明は叙上のような従来存した諸事情に鑑み創出されたもので、大量な石灰投入による中和反応を利用しなくても、河川水または地熱水等に含まれている硫酸イオンや塩素イオンの分離除去が短時間で且つ低コストで行えるようにした飲料水用浄水システムを提供することを目的とする。
【課題を解決するための手段】
【０００６】
上述した課題を解決するため、本発明にあっては、被処理水を連続環流的に超電導マグネットの高磁場内に圧送導入し、高磁力によって被処理水に含まれる硫酸イオンおよび塩素イオンを分離させる物質分離装置を備えたものである。
【０００７】
また、物質分離装置には、超電導マグネットによって分離された硫酸イオンおよび塩素イオンを捕獲し除去させるよう、磁界周囲に配したメッシュ状，スパイラル状，筒状のいずれかに形成された金属不織布製の交換可能な吸着フィルタを備えたものとすることができる。
【０００８】
さらに、硫酸イオンおよび塩素イオンの磁化率の差に応じて超電導マグネットの磁場強度の設定を変えるものとすることができる。
【０００９】
あるいは、硫酸イオンおよび塩素イオンの磁化率の差に応じて磁場強度設定の異なる複数の超電導マグネットに導入させるものとすることができる。
【００１０】
加えて、被処理水に、四三酸化鉄，水酸化鉄，フェライト，マンガン，αヘマタイト，ドラバイト，トルマリンのいずれかによる強磁性シーデイング剤を添加して当該被処理水の中の常磁性体，非磁性体，反磁性体等の性質を有する有害物質を磁気分離させるものとすることができる。
【００１１】
以上のように構成された本発明に係る飲料水用浄水システムにあって、この磁着分離回収対象物質の分離には超電導マグネットを用いる。超電導物体を冷やしていくと、ある臨界温度で抵抗がなくなり、完全導電性を有するようになる。この完全導電性を有することとなった超電導物体をコイルに用いて電磁石としたものが超電導マグネットである。従来、超電導物体を冷却するのに液状ヘリウムを用いていたが、近年、高温超電導体を用いて、液状ヘリウムを使用しないいわゆる無液冷型の超電導マグネット( 以下、「ドライマグネット」と称する) が開発された。かかるドライマグネットは、無液冷型なので、ドライマグネットを用いれば物質分離回収装置の規模を小さく抑えることが可能となる。そして、このためもあって、消費電力も小さくすることができる。
【００１２】
一様でない靜磁場中に置かれた体積Ｖ、一様な磁化Ｍ（ｒ，Ｈ）＝χ（磁化率）×Ｈの粒子に働く力Ｆは、磁場勾配がｘ軸方向であるとすると、Ｆ＝ＶＭ（Ｈ）ｄＨ／ｄｘである。このような不均一磁場中を粒子が通過するとき、磁性粒子の移動軌跡は磁気力の作用により非磁性粒子のそれとは必然的に異なる。しかも異なる磁化率χに応じて磁性粒子に働く力Ｆも異なるため、磁性粒子の移動軌跡が異なる。この差を利用して物質を分離するのが超電導マグネットによる磁気分離の原理である。
【００１３】
また、電磁石による強磁場を発生させる磁界発生管内を被処理水が直角の状態で流れると、被処理水内に自由電子の分極が起こり、誘導電圧が発生するという所謂ファラデーの電磁誘導の法則のもとで、一定の流れの速さを保ち反復循環させることで、被処理水中に含まれている硫酸イオンと塩素イオンを分離除去する作用が発生するものである。このように磁気エネルギーは磁場の２乗に正比例することから５テスラを超える強磁場内においては、あらゆる非磁性体や反磁性体の分離が可能で、例えば単体のみの弱磁性体のものは単体として磁気分離できるものとなる。
【００１４】
すなわち、物質分離回収装置は、被処理水に強磁性シーデイング剤を添加してから、ドライマグネットを用いた例えば５〜１０テスラの超電導磁界を作用させることで、例えば反磁性であるヒ素，硫黄，鉛，常磁性である六価クロム、強磁性である鉄等の磁着分離回収対象物質を分離して回収する機能を有している。
【００１５】
これにより河川水または地熱水等の被処理水に、ドライマグネットを用いた超電導磁界を作用させて磁着分離回収対象物質である反磁性体の有害物質である硫酸イオンおよび塩素イオン、さらには常磁性体や非磁性体等の性質を有する有害物質、その他の残留重金属類を被処理水から分離させる。このとき作用させる超電導磁界の大きさは磁着分離回収対象物質の磁化率に対応させて設定する。そして、超電導磁界の作用により分離された磁着分離回収対象物質は、吸着フィルタによって捕獲し除去される。尚、ドライマグネットの着磁と消磁は、１分程度で可能であるため、本発明の超電導磁界を用いた物質分離装置は高速な連続運転が可能となる。
【発明の効果】
【００１６】
本発明によれば、超電導マグネットの高磁力によって被処理水から硫酸イオンおよび塩素イオンを分離させるものとしたので、従来のような大量な石灰投入による中和反応を利用しなくても、河川水または地熱水等に含まれている反磁性体の有害物質である硫酸イオンおよび塩素イオン、さらには常磁性体や非磁性体等の性質を有する有害物質、その他の残留重金属類等の分離除去を短時間で効率的に、且つ低コストで行うことができる。
【００１７】
すなわち、本発明による物質分離装置は、その全体の規模を小さく抑え、消費電力を小さくすることができると共に、高速な連続運転ができ、しかも反応時間が、秒速２ｍ以上という循環速度に応じて２分〜５分と非常に短いため、効率の良い物質分離回収を行うことが可能となる。
【００１８】
さらに、超電導マグネットの磁界内部の温度を約１００℃〜１５０℃の範囲内に常時保つので、被処理水の中に含まれる反磁性体の有害物質である硫酸イオンおよび塩素イオン、さらには常磁性体や非磁性体等の性質を有する有害物質、その他の残留重金属類の物質分離効率が高められる。
【００１９】
同時に、超電導マグネットの表面温度を４０℃〜５０℃の範囲内に設定するものとしたので、超電導磁界強度の熱による消磁を未然に防止することができる。
【発明を実施するための最良の形態】
【００２０】
以下、図面を参照して本発明を実施するための最良の一形態を説明すると、図において示される符号１は、廃水が放流された河川水、または地中から噴出された地熱水等の被処理水中に含まれている有害物質を分離除去して浄化するための浄水装置であり、該浄水装置１は、スラリータンク２と、攪拌タンク３と、超電導マグネットによる物質分離装置４と、冷却装置５と、貯留タンク６とから概ね構成されている。
【００２１】
そして、被処理水を貯蔵したスラリータンク２から当該被処理水を攪拌タンク３に圧送導入して攪拌処理した後、該攪拌タンクから連続環流的に物質分離装置４における超電導マグネットの高磁場内に圧送導入し、該超電導マグネットの高磁力によって被処理水から硫酸イオンおよび塩素イオンを分離させるものとしてある。
【００２２】
スラリータンク２は、大量の硫酸イオンおよび塩素イオンが遊離している被処理水が貯蔵され、不図示の加熱用ヒータによって加熱される。
【００２３】
攪拌タンク３は、上部側から内部に縦型攪拌機３ａが導入配置されており、また攪拌タンク３の上側とスラリータンク２の側面とは、複数箇所にボールバルブ９を備えた塩ビパイプ製の給送ライン７によって接続されている。そして、攪拌タンク３の下部側は排出ライン８を設け、ボールバルブ９を介して給送ライン７に接続されている。この給送ライン７の排出ライン８接続部よりも下流側には循環ポンプ１０が設けられている。
【００２４】
また、スラリータンク２内の被処理水には、例えば四三酸化鉄，水酸化鉄，フェライト，マンガン，αヘマタイト，ドラバイト，トルマリン等の強磁性シーデイング剤を添加し、シーデイング剤添加後に、後述する物質分離装置４における例えば５テスラから１０テスラ範囲の高勾配磁界内に導入して被処理水中に含まれている反磁性体の有害物質である硫酸イオンおよび塩素イオン、さらには常磁性体や非磁性体等の性質を有する有害物質、その他の残留重金属類を磁気分離させるものとしてある。
【００２５】
物質分離装置４は、被処理水にドライマグネットを用いた例えば５〜１０テスラの超電導磁界を作用させて、被処理水に含まれる例えば反磁性であるヒ素，硫黄，塩素，硫酸イオン，塩素イオン等の磁着分離回収対象物質を分離して回収する機能を有し、スラリータンク２側面の給送ライン７を循環ポンプ１０下流側で分岐させ、ボールバルブ９を介して物質分離装置４下側から環状のドライマグネットの中央ホール内に導入させてある。このような高温超伝導を利用した電磁石であるドライマグネットは、電流スイッチのＯＮ／ＯＦＦ操作により、発生磁場の大きさを５テスラから１０テスラ範囲の間で容易に可変できるようにしてある。
【００２６】
そして、中央ホール内に導入した給送ライン７を物質分離装置４から上方側へ引き出した後に給送ライン７自体を分岐させ、一部はボールバルブ９を介して攪拌タンク３上部側に接続され、他の一部は他のボールバルブ９を介して貯留タンク６に接続される。また、給送ライン７の中央ホール内に導入される手前にはボールバルブ９を介してサンプル取り出し口１１が設けられている。
【００２７】
この物質分離装置４は、液体ヘリウムや液体窒素を用いずに冷凍機で直接冷却可能な例えばソレノイド型・スプリット型の高温超伝導による電磁石を用いた永久電流運転が可能な所謂非冷媒型の超伝導ドライマグネット方式によって、被処理水を磁気分離して当該被処理水に含まれる略同じ値の反磁性磁化率を有する硫酸イオン（硫黄の磁化率は−０．４８４×１０-6cm3／ｇ）、塩素イオン（塩素の磁化率は−０．５７０×１０-6cm3／ｇ）等を磁気分離して除去回収させるためのものである。また、電磁石としては、高温超伝導電磁石を利用する替わりに、通常の永久磁石によるコアと、これに巻装されるコイルとによって構成される少なくとも５テスラ以上の高磁力を発生可能とした一般的な電磁石を使用しても良いことはもちろんである。
【００２８】
物質分離装置４において作用させる超電導磁界の大きさは前記磁着分離回収対象物質の磁化率に対応させて設定するものとしてある。この超電導磁界の作用により分離された磁着分離回収対象物質は、環状のドライマグネットの中央ホール内の磁界周囲に配したメッシュ状、スパイラル状、筒状等に形成された例えば金属不織布等の吸着フィルタによって吸着される。あるいは、ドライマグネットを消磁することを通じて物質分離装置４の下部に設けた不図示のスライドに落とされ、当該物質分離装置４外に排出されるようにしても良い。また、前記した循環ポンプ１０を駆動させることによって、攪拌タンク３と物質分離装置４との間を給送ライン７によりスラリーが秒速約２ｍ以上という循環速度で還流できるようにしてある。
【００２９】
物質分離装置４におけるドライマグネットの中央ホール内部には、ジュール熱発生可能な通電コイルによる不図示の加熱用ヒータが配され、中央ホール内部の温度を約１００℃〜１５０℃の範囲内に常時保つようにしてある。
【００３０】
一方、超電導磁界の強度を加熱用ヒータの熱により消失させないようにするために、冷却装置５から延出した冷却コイルを中央ホール外周に巻装させることで、中央ホール外周の表面温度は、５０℃以下の例えば４０℃乃至４３℃の温度範囲となるように設定されている。この冷却装置５は、冷却コイル内を循環する冷媒から熱を奪うための不図示の熱交換機に接続されている。すなわち、ドライマグネットの高磁場発生用の冷却水を、超電導磁界の強度の熱による消失を防止するための冷却水と併用させている。
【００３１】
次に、以上のように構成された最良の形態についての浄水方法について説明する。先ず、被処理水をスラリータンク２に貯蔵しておき、例えば四三酸化鉄，水酸化鉄，フェライト，マンガン，αヘマタイト，ドラバイト，トルマリン等の強磁性シーデイング剤を添加しておく。循環ポンプ１０を駆動させ、攪拌タンク３に通じるボールバルブ９を開いてスラリータンク２から攪拌タンク３内に被処理水を圧送導入する。
【００３２】
そして、循環ポンプ１０を停止させ、スラリータンク２から攪拌タンク３に通じるボールバルブ９を閉じ且つ排出ライン８のボールバルブ９を開き、さらに物質分離装置４に通じるボールバルブ９を開いてから循環ポンプ１０を再び駆動させることで、被処理水は攪拌タンク３から物質分離装置４内に連続環流的に圧送導入される。
【００３３】
超電導磁界の作用により分離された反磁性体の有害物質である硫酸イオン，塩素イオン、さらには常磁性体や非磁性体等の性質を有する有害物質、その他の残留重金属類等の磁着分離回収対象物質は、環状のドライマグネットの中央ホール内の磁界周囲に配した吸着フィルタによって吸着され、清澄液が物質分離装置４から貯留タンク６に導入される。また、中央ホール内に導入される手前のボールバルブ９を介してサンプル取り出し口１１からサンプルが取り出される。
【００３４】
また、図２、図３には、超電導ドライマグネットによる物質分離装置４を使った浄水装置１の他の具体的な構成が示されている。すなわち、硫酸イオンおよび塩素イオンの磁化率の差に応じて磁場強度設定の異なる複数の超電導マグネットに導入させるものとしてある。具体的には、回転軸２２を中心に高速回転する回転体２１と、固分離装置４内に導入された被処理水の通路となる汚液管２３を設け、磁着分離回収対象物質は物質分離装置４内に連続環流的に導入されるものとしてある。
【００３５】
この場合における原理は、被処理水を第１タンク２４内に導入し、さらに第１の物質分離装置４Ａ内に連続環流的に圧送導入して硫酸イオンを分離するステップと、前記第１の物質分離装置４Ａ内で分離回収された後の第１タンク２４内に戻された清澄液を第２タンク２５内に導入し、さらに第２の固液分離回収装置４Ｂ内に連続環流的に圧送導入して塩素イオンを分離するステップとから構成される。
【００３６】
第１タンク２４は被処理水を、超電導磁界を用いた第１の物質分離装置４Ａ内に導入する。導入された被処理水は、汚液管２３を通り、高速回転している回転体２１に送られる。そして、回転体２１によって被処理水に遠心力が加えられて、遠心力分離回収対象物質が被処理水から分離され、回転体２１の内周付近に沈殿する。沈殿した遠心力分離回収対象物質は、回転体２１の内周に取り付けられた掻き落とし板の作用によって、超電導磁界を用いた物質分離装置４Ａ下部に掻き落とされて除去される。物質分離装置４Ａから出る清澄液は再び第１タンク２４内に戻される。
【００３７】
また、第１タンク２４に戻された清澄液は、第２タンク２５に導入され、さらに超電導磁界を用いた第２の物質分離装置４Ｂ内に導入する。導入された清澄液は、汚液管２３を通り、高速回転している回転体２１に送られる。そして、回転体２１によって清澄液に遠心力が加えられて、遠心力分離回収対象物質が清澄液から分離され、回転体２１の内周付近に沈殿する。沈殿した遠心力分離回収対象物質は、回転体２１の内周に取り付けられた掻き落とし板の作用によって、超電導磁界を用いた第２の物質分離装置４Ｂ下部に掻き落とされて除去される。第２の物質分離装置４Ｂから出る清澄液は再び第２タンク２５内に戻される。
【００３８】
この被処理水は、加えられた遠心力によって、例えば７μｍ程度の大きさの分子の霧状に状態変化し、回転体２１の上面を超えてオーバーフローする。次に、回転体２１の上面を超えてオーバーフローした前記霧状に状態変化した被処理水中の磁着分離回収対象物質は、ドライマグネットの超電導磁界の作用により、被処理水から分離し、超電導磁界を用いた物質分離装置４Ａ，４Ｂのドライマグネットが設置された部分の内壁に磁着する。そして、ドライマグネットを消磁することを通じて超電導磁界を用いた物質分離装置４Ａ，４Ｂの内壁に磁着した磁着分離回収対象物質が内壁から離脱されて回収される。
【００３９】
また、超電導ドライマグネットによる物質分離装置４を使った浄水装置１の更に他の具体的な構成として、図４に示すように、超電導磁界を用いた物質分離回収装置４Ａ，４Ｂを硫酸イオン除去ステップと、塩素イオン除去ステップにおいてそれぞれ２基使用する替わりに、超電導磁界を用いた単一の物質分離回収装置４Ａでもって併用させても良い。
【００４０】
すなわち、第１タンク２４から物質分離装置４Ａ内に導入された被処理水は磁着分離回収対象物質である硫酸イオンが分離されることによって清澄液となり、超電導磁界を用いた物質分離装置４Ａの外側へ排出され、再び第１タンク２４内に戻され切替弁２６を介して物質分離装置４Ａ内に導入される。
【００４１】
また、第２タンク２５ら物質分離装置４Ａ内に導入された被処理水は磁着分離回収対象物質である塩素イオンが分離されることによって清澄液となり、超電導磁界を用いた物質分離装置４Ａの外側へ排出され、再び第２タンク２５に戻され切替弁２６を介して物質分離装置４Ａ内に導入される。この切替弁２６は第１タンク２４たは第２タンク２５から物質分離装置４Ａ内への液の導入を切り替え制御するものである。
【００４２】
また、第１タンク２４と第２タンク２５とはバッファタンク２７によって接続されている。すなわち、第１タンク２４内に戻された清澄液は、これを所定の量に達するまで貯留しておくためのバッファタンク２７を介して第２タンク２５内に導入され、そこで被処理水と共に再び物質分離装置４Ａ内に切替弁２６を介して導入されるものとしてある。
【００４３】
こうして被処理水から、硫酸イオンと塩素イオンを持続的に磁気分離することができ、被処理水の無害化のための連続運転が可能となるのである。
【００４４】
上記のように、本発明の超電導磁界を用いた物質分離装置４Ａ，４Ｂの消費電力は、例えば３．７ｋＷ程度であり、従来技術の消費電力が例えば６０ｋＷ程度であるのに対して消費電力が極めて少ない。また、本発明は、例えば４０００回転/ 分で回転体２１を高速回転させて遠心力分離回収対象物質を被処理水からまず分離させた後に、ドライマグネットの作用によって磁着分離回収対象物質である硫酸イオンや塩素イオンを分離することから、磁着分離回収対象物質を効率よく分離回収することが可能となる。
【００４５】
また、物質分離装置４における硫酸イオンと塩素イオンの捕獲回収は、例えば５テスラから１０テスラ範囲の高勾配磁界内に導入して被処理水中に含まれる硫酸イオンと塩素イオンを磁気分離させてから、環状のドライマグネットの中央ホール内の磁界周囲に配したメッシュ状，スパイラル状，筒状等に形成された例えば金属不織布等の吸着フィルタによって、磁気分離した硫酸イオンと塩素イオンを吸着させるものとしてある。
【００４６】
すなわち、環状のドライマグネットの中央ホール内に直径約３０ｃｍ程度のＳＵＳステンレス製のパイプを装備し、この内周壁面にメッシュ状，スパイラル状，筒状等に形成された例えば金属不織布等の吸着フィルタが配設されている。このとき、吸着フィルタ自体は、パイプの上下両端側に形成されたフランジ部側から引き出されることで、吸着フィルタ自体をスペアのものと容易に交換できるよう着脱可能となって配設されている。この吸着フィルタによって捕獲された硫酸イオンと塩素イオンは除去処理されるようにしてある。尚、この吸着フィルタを、パイプ内で２本もしくは３本以上にそれぞれ単独に配置することで捕獲を効率良く行えるようにしても良い。
【００４７】
上記した他の具体例において、前記した強磁性シーデイング剤を使用することで、反磁性体の有害物質である硫酸イオン，塩素イオンを除去する以外に、常磁性体や非磁性体等の性質を有する有害物質、その他の残留重金属類を同時に除去できることは勿論である。
【００４８】
以上のように浄化処理前の被処理水と、物質分離装置４による浄化処理後の被処理水とを対比すると、被処理水を約５テスラのドライマグネットによる物質分離装置４に約１分間反応させた後の状態では、被処理水に含まれていた反磁性体の有害物質である硫酸イオン、塩素イオン、さらには常磁性体や非磁性体等の性質を有する有害物質、その他の残留重金属類が略完全に分離除去されていることが実験によって証明された。
【図面の簡単な説明】
【００４９】
【図１】本発明の最良の形態における浄水装置の概略構成図である。
【図２】超電導磁界を用いた物質分離装置の詳細な構成の一例を示す断面図である。
【図３】本発明の最良の形態における他例を示す浄水装置の概略を示す構成図である。
【図４】本発明の最良の形態における更に他例を示す浄水装置の概略を示す構成図である。
【符号の説明】
【００５０】
１  浄水装置
２  スラリータンク
３  攪拌タンク
４  物質分離装置
５  冷却装置
６  貯留タンク
７  給送ライン
８  排出ライン
９  ボールバルブ
１０  循環ポンプ
１１  サンプル取り出し口
【図１】
2007098297.tif 000003
【図２】
2007098297.tif 000004
【図３】
2007098297.tif 000005
【図４】
2007098297.tif 000006